(57)【要約】【課題】目に対して刺激の強い発光ダイオードを用いずに白色光を生成できる発光装置を提供する。【解決手段】発光装置１０は、発光波長が４４０ｎｍ以下である発光ダイオード１１と、発光ダイオード１１の光によって励起される第１波長変換部材１４と、第１波長変換部材１４で生成された変換光により励起される第２波長変換部材１６とを備え、第１波長変換部材１４および第２波長変換部材１６からの光を混色する。【選択図】図１
2013062356.tif 000002
【特許請求の範囲】
【請求項１】
発光波長が４４０ｎｍ以下である発光ダイオードと、
前記発光ダイオードの光によって励起される第１波長変換部材と、
前記第１波長変換部材で生成された変換光により励起される第２波長変換部材とを備え、
前記第１波長変換部材および前記第２波長変換部材からの光を混色する発光装置。
【請求項２】
請求項１に記載の発光装置において、
前記第１波長変換部材と前記第２波長変換部材との間に、光透過抑制部材を有する発光装置。
【発明の詳細な説明】
【技術分野】
【０００１】
本発明は、発光ダイオードを有する発光装置に関する。
【背景技術】
【０００２】
従来より、原励起光を発する窒化物半導体発光素子と、一次蛍光体部材と、二次蛍光体部材とを有して構成される発光装置が知られている（例えば、特許文献１参照）。
特許文献１は、一次蛍光体部材が、原励起光によって励起されて一次蛍光を発する一次蛍光体を含んでおり、二次蛍光体部材が、一次蛍光によって励起されて二次蛍光を発する二次蛍光体を含んでいる。
【先行技術文献】
【特許文献】
【０００３】
【特許文献１】特開２００６−３２７２６号公報（図１、請求項１）
【発明の概要】
【発明が解決しようとする課題】
【０００４】
特許文献１は、出力光に含まれる主要波長成分毎の強度の比率を、製品毎に、より安定させることができる。
特許文献１は、図４に示すように、ＧａＮ（窒化ガリウム）系の発光ダイオードからのＬＥＤ光１０１が、ＢＡＭ（青色発光バリウムアルミン酸マグネシウム）系の一次蛍光体部材（一次蛍光体）により励起されて一次蛍光１０２に変換される。
そして、特許文献１は、一次蛍光１０２が、ＹＡＧ（イットリウム・アルミニウム・ガーネット）系の二次蛍光体部材（二次蛍光体）によって二次蛍光１０３に変換される。
しかし、特許文献１は、原励起光を発する窒化物半導体発光素子がＧａＮ系の青色の発光ダイオードであるために、目に対する刺激が強い。
【０００５】
本発明は、前述した課題を解決するためになされたものであり、その目的は、目に対して刺激の強い発光ダイオードを用いずに白色光を生成できる発光装置を提供することにある。
【課題を解決するための手段】
【０００６】
本発明に係る発光装置は、発光波長が４４０ｎｍ以下である発光ダイオードと、前記発光ダイオードの光によって励起される第１波長変換部材と、前記第１波長変換部材で生成された変換光により励起される第２波長変換部材とを備え、前記第１波長変換部材および前記第２波長変換部材からの光を混色する。
【０００７】
本発明に係る発光装置は、前記第１波長変換部材と前記第２波長変換部材との間に、光透過抑制部材を有する。
【発明の効果】
【０００８】
本発明に係る発光装置によれば、目に対して刺激の強い発光ダイオードを用いずに白色光を生成できるという効果を奏する。
【図面の簡単な説明】
【０００９】
【図１】本発明に係る第１実施形態の発光装置の垂直断面図
【図２】本発明に係る第１実施形態の発光装置のスペクトル特性図
【図３】本発明に係る第２実施形態の発光装置の垂直断面図
【図４】従来の発光装置のスペクトル特性図
【発明を実施するための形態】
【００１０】
以下、本発明に係る複数の実施形態の発光装置について図面を参照して説明する。
（第１実施形態）
図１に示すように、本発明に係る第１実施形態の発光装置１０は、基板１２にＬＥＤチップ１３が実装された発光ダイオード１１と、第１波長変換部材１４と、封止部材１５と、第２波長変換部材１６とを備える。
発光装置１０は、第１波長変換部材１４および第２波長変換部材１６により変換された光を混色する。
【００１１】
発光ダイオード１１は、基板１２に実装されており、不図示の給電リードへの給電により、発光波長が４４０ｎｍ以下の紫からの紫外線をＬＥＤチップ１３が発光する。
第１波長変換部材１４は、発光ダイオード１１の外側を覆って基板１２に一体に固定されている。
第１波長変換部材１４は、青緑蛍光体として、ＢａＳｉ２Ｏ２Ｎ２（ＢａＳｉＯＮ）（酸窒化物）系の蛍光体が適用される。
【００１２】
封止部材１５は、第１波長変換部材１４の外側に封止されている。封止部材１５としては、メチルシリコーンエラストマー封止材や、２液メチルシリコーンエラストマー封止材等が適用される。
第２波長変換部材１６は、封止部材１５の外側を覆って固定されている。
第２波長変換部材１６としては、黄色〜赤色の蛍光体として、ＹＡＧ（セリウム添加イットリウム・アルミニウム・ガーネット）系の蛍光体や、ＣＡＳＮ系の蛍光体や、ＳＣＡＳＮ系の蛍光体や、ＣａＳ系の蛍光体が適用される。
なお、第２波長変換部材１６は、ＬＥＤチップ１３からの光により励起されない場合、第１波長変換部材１４と混合しても良い。
【００１３】
次に、発光装置１０の光学的特性について説明する。
図２に示すように、発光装置１０は、ＬＥＤチップ１３が発光することにより、４４０ｎｍ以下の発光波長のＬＥＤ光Ａが第１波長変換部材１４により青緑色の変換光Ｂに波長変換される。
また、第１波長変換部材１４が波長変換した変換光Ｂにより、第２波長変換部材１６が励起されて黄色〜赤色の変換光Ｃが生成される。
そして、第１波長変換部材１４により波長変換された青緑色の変換光Ｂと、第２波長変換部材１６により励起された黄色〜赤色の変換光Ｃとが混色されて白色の光が生成されることになる。
従って、発光装置１０は、明所視の被視感度特性に近づけたスペクトル特性を有する。
【００１４】
このように、発光装置１０は、目に優しい発光波長が４４０ｎｍ以下の紫から紫外線を発光するＬＥＤチップ１３を適用して、第１波長変換部材１４により波長変換された変換光Ｂと、第２波長変換部材１６により変換された変換光Ｃとを混色して白色の光を生成できる。
【００１５】
以上、説明した本発明に係る第１実施形態の発光装置１０によれば、紫外線を発光するＬＥＤチップ１３を適用して、第１波長変換部材１４により波長変換された変換光Ｂと、第２波長変換部材１６により変換された変換光Ｃとを混色して白色の光を生成できる。
従って、発光装置１０によれば、目に対して刺激の強い発光ダイオードを用いずに白色光を生成できる。
【００１６】
（第２実施形態）
次に、本発明に係る第２実施形態の発光装置について説明する。
なお、以下の第２実施形態において、前述した第１実施形態と重複する構成要素や機能的に同様な構成要素については、図中に同一符号あるいは相当符号を付することによって説明を簡略化あるいは省略する。
【００１７】
図３に示すように、本発明に係る第２実施形態の発光装置２０は、第１波長変換部材１４と第２波長変換部材１６との間に光透過抑制部材２１を有する分離配置を適用している。
光透過抑制部材２１は、封止部材１５の外側であって、第２波長変換部材１６の内側に設けられている。
発光ダイオード１１は、点光源であるために点光りを生じ、広い面積を照射しようとするとむらを生じやすい。
そのため、光透過抑制部材２１を用いることにより、点光りを減少させて広範囲を安定的に照射できる。
光透過抑制部材２１としては、光の透過特性が第１波長変換部材１４および第２波長変換部材１６よりも若干低い導光部材や拡散特性を有する導光部材等が適用される。
【００１８】
第２実施形態の発光装置２０によれば、光透過抑制部材２１を用いることにより、広範囲を安定的に照射できる。
【００１９】
なお、本発明の発光装置において基板、封止部材等は、前述した各実施形態に限定されるものでなく、適宜な変形や改良等が可能である。
【符号の説明】
【００２０】
１０，２０  発光装置
１１  発光ダイオード
１４  第１波長変換部材
１６  第２波長変換部材
２１  光透過抑制部材
【図１】
2013062356.tif 000003
【図２】
2013062356.tif 000004
【図３】
2013062356.tif 000005
【図４】
2013062356.tif 000006